(57)【特許請求の範囲】
【請求項１】
底部に形成された凹部を有する本体ケースと、
前記凹部に形成された第１通気口と、
前記第１通気口を覆うように前記本体ケースに設けられたカバーと、
前記カバーに形成された第２通気口と、
を具備し、
前記凹部は、
側壁部を有し、
前記第１通気口は、
前記側壁部に形成される、
計量装置。
【請求項２】
前記側壁部は、
前記本体ケースの高さ方向に略平行に形成される、
請求項１に記載の計量装置。
【請求項３】
前記第１通気口は、
前記本体ケースの高さ方向に対して略垂直な方向に延びるように形成される、
請求項１又は請求項２に記載の計量装置。
【請求項４】
前記第１通気口は、
前記本体ケースの高さ方向における前記凹部の中途部に形成される、
請求項１から請求項３までのいずれか一項に記載の計量装置。
【請求項５】
前記第２通気口は、
前記本体ケースの高さ方向における前記カバーの下端部近傍に形成される、
請求項１から請求項４までのいずれか一項に記載の計量装置。
【請求項６】
前記第１通気口と対向する壁体をさらに具備する、
請求項１から請求項５までのいずれか一項に記載の計量装置。
【請求項７】
前記壁体は、
前記第１通気口と前記第２通気口との間に配置される、
請求項６に記載の計量装置。
【請求項８】
前記壁体は、
前記第２通気口側に向かって広がる凹状に形成される、
請求項７に記載の計量装置。
【請求項９】
底部に形成された凹部を有する本体ケースと、
前記凹部に形成された第１通気口と、
前記第１通気口を覆うように前記本体ケースに設けられたカバーと、
前記カバーに形成された第２通気口と、
を具備し、
前記第１通気口は、
前記本体ケースの高さ方向における前記凹部の中途部に形成される、
計量装置。
【請求項１０】
底部に形成された凹部を有する本体ケースと、
前記凹部に形成された第１通気口と、
前記第１通気口を覆うように前記本体ケースに設けられたカバーと、
前記カバーに形成された第２通気口と、
前記第１通気口と対向する壁体と、
を具備し、
前記壁体は、
前記第１通気口と前記第２通気口との間に配置され、
前記第２通気口側に向かって広がる凹状に形成される、
計量装置。
【発明の詳細な説明】
【技術分野】
【０００１】
本発明は、被計量物の重量を計量する計量装置に関し、特に、本体ケースの内部と外部とを連通する通気口を備えた計量装置に関する。
【背景技術】
【０００２】
後掲の特許文献１は、上記計量装置の一例を開示している。特許文献１に記載の計量装置は、ロードセル等を収容する本体ケースに形成された凹部内に貫通孔が形成されるとともに、当該貫通孔に防水防塵フィルターが設けられる。このような構成によって、貫通孔を介して本体ケースの通気性が確保され、本体ケースの内圧と外気圧との圧力差による計量誤差の発生を抑制することができる。また、防水防塵フィルターによって、貫通孔を介して水や塵挨が本体ケースの内部に侵入するのを防止することができる。
【先行技術文献】
【特許文献】
【０００３】
【特許文献１】特許第４４３６１８１号公報
【発明の概要】
【発明が解決しようとする課題】
【０００４】
上記計量装置では、塵挨が防水防塵フィルターに詰まると、本体ケースの通気性が低下してしまう。このため、上記計量装置では、定期的に防水防塵フィルターのメンテナンス（詰まりの有無の確認、清掃、交換等）を行う必要があり、その作業が煩雑である。
【０００５】
本発明は、上記課題を解決するため、防水防塵フィルターを用いなくても、水や塵挨が本体ケースの内部に侵入するのを効果的に抑制することが可能な計量装置を提供することを目的とする。
【課題を解決するための手段】
【０００６】
上記目的を達成するために、本発明の一態様に係る計量装置は、底部に形成された凹部を有する本体ケースと、前記凹部に形成された第１通気口と、前記第１通気口を覆うように前記本体ケースに設けられたカバーと、前記カバーに形成された第２通気口と、を具備し、前記凹部は、側壁部を有し、前記第１通気口は、前記側壁部に形成されている。
【０００７】
本発明によると、防水防塵フィルターを用いなくても、水や塵挨が本体ケースの内部に侵入するのを効果的に抑制することができる。
【図面の簡単な説明】
【０００８】
【図１】本発明の一実施形態に係る計量装置の全体的な構成を示した上方斜視図。
【図２】同じく、下方斜視図。
【図３】上部を外した状態の本体ケースを示した平面図。
【図４】同じく、上方斜視図。
【図５】本体ケースの凹部及びカバーを示した分解下方斜視図。
【図６】同じく、底面図。
【図７】図６におけるＡ−Ａ断面図。
【図８】図７におけるＢ−Ｂ断面図。
【図９】（ａ）カバーを示した下方斜視図。（ｂ）同じく、上方斜視図。
【図１０】（ａ）第１変形例に係るカバーを示した断面図。（ｂ）第２変形例に係るカバーを示した断面図。
【図１１】第３変形例に係るカバーを示した断面図。
【図１２】第４変形例に係る凹部及びカバーを示した平面断面図。
【発明を実施するための形態】
【０００９】
以下では、図中に示した矢印に従って、前後方向、上下方向及び左右方向をそれぞれ定義する。
【００１０】
まず、図１から図４までを用いて、本発明の一実施形態に係る計量装置１の構成の概略を説明する。
【００１１】
計量装置１は、被計量物の重量を計量するものである。被計量物とは、計量装置１によって計量される種々の物を意味する。計量装置１は、主として本体部２及び計量皿３を具備する。
【００１２】
本体部２は、計量装置１の主たる構造体となるものである。本体部２は、主として本体ケース１０、カバー３０、操作部５０及びロードセル７０を具備する。
【００１３】
本体ケース１０は、計量装置１を構成する各種の部材（基板等）を収容するものである。本体ケース１０は、略直方体箱状に形成される。本体ケース１０は、底部１０ａ、側部１０ｂ及び上部１０ｃを具備する。底部１０ａは、略水平に配置される板状の部分である。側部１０ｂは、底部１０ａの外周端部から上方に向かって延びるように形成される略矩形枠状の部分である。上部１０ｃは、側部１０ｂを上方から覆うように形成される部分である。
本体ケース１０の詳細な構成については、後述する。
【００１４】
カバー３０は、本体ケース１０の底部１０ａに設けられるものである。
カバー３０の詳細な構成については、後述する。
【００１５】
操作部５０は、計量装置１に関する種々の操作を行うためのものである。操作部５０は、本体部２（本体ケース１０）の前部に形成された傾斜面に設けられる。操作部５０は、図示せぬ複数のボタン及び計量装置１に関する情報が表示される液晶パネル等を具備する。操作部５０の下方（本体ケース１０内）には、計量装置１を制御するための図示せぬ制御基板が配置される。
【００１６】
ロードセル７０は、荷重を検出するセンサである。ロードセル７０は、本体ケース１０内の前後略中央部に配置される。
【００１７】
計量皿３は、上面に被計量物が載置されるものである。計量皿３は、略矩形板状に形成される。計量皿３は、本体部２の上方に配置される。計量皿３は、本体ケース１０内に配置されたロードセル７０に連結される。
【００１８】
このように構成された計量装置１において、計量皿３に載置された被計量物の重量がロードセル７０によって検出される。当該重量は、操作部５０に設けられた液晶パネルに表示される。また、操作部５０のボタンを適宜操作することで、計量装置１が有する各種の機能を実行させることができる。
【００１９】
計量装置１は、本体ケース１０の内圧と外気圧との間に差（圧力差）が生じるのを防ぐために、当該本体ケース１０の内部と外部とが連通するように形成されている。また計量装置１は、当該連通された部分から水等（水や塵挨等）が本体ケース１０内に侵入するのを防止するための構造（以下、単に「防水構造」と称する）を有している。以下では、当該防水構造を構成する本体ケース１０及びカバー３０について具体的に説明する。
【００２０】
図１から図４までに示す本体ケース１０は、主として凹部１１、第１通気口１２、取付部１３、係合凹部１４、係合凸部１５、壁体１６、第１内部リブ１７及び第２内部リブ１８を具備する。
【００２１】
図３から図６までに示す凹部１１は、本体ケース１０の底部１０ａに形成される部分である。凹部１１は、底部１０ａの後端部近傍に形成される。凹部１１は、本体ケース１０の内側に向かって窪むように形成される。凹部１１は、主として側壁部１１ａ及び上壁部１１ｂを具備する。
【００２２】
側壁部１１ａは、底部１０ａから略垂直上方に向かって延びるように形成される枠状の部分である。側壁部１１ａは、上下方向（計量装置１の高さ方向）に略平行に形成される。側壁部１１ａは、底面視において左後方から右前方に延びる角丸の略矩形状に形成される。
なお、以下では、側壁部１１ａのうち右後方を向く平面を、単に「孔形成面１１ｃ」と称する。また以下では、特に断りがない場合、平面視（底面視）において孔形成面１１ｃが延びる方向（左後方から右前方に向かう方向）を、単に「幅方向」と称する。
【００２３】
上壁部１１ｂは、側壁部１１ａを上方から覆うように形成される部分である。上壁部１１ｂは、略水平（計量装置１の高さ方向に対して略垂直）に配置された板状に形成される。
【００２４】
このように構成された凹部１１は、図３及び図４に示すように本体ケース１０の内側から見ると、当該本体ケース１０の内部に突出するように形成される。
【００２５】
図４、図５、図７及び図８に示す第１通気口１２は、空気を流通させるための開口部である。第１通気口１２は、凹部１１の側壁部１１ａを貫通するように形成される。より具体的には、第１通気口１２は、孔形成面１１ｃに形成される。当該第１通気口１２によって、本体ケース１０の内部と外部とが連通される。第１通気口１２は、略水平に延びるように形成される。第１通気口１２は、孔形成面１１ｃ（側壁部１１ａ）の上下中途部（より詳細には、孔形成面１１ｃの上下中央よりやや上方）に形成される。第１通気口１２は、孔形成面１１ｃの幅方向中央部近傍に２つ形成される。２つの第１通気口１２は、孔形成面１１ｃの幅方向中央を挟んで隣り合うように形成される。
【００２６】
図５、図６及び図８に示す取付部１３は、カバー３０を取り付けるための部分である。取付部１３は、略矩形板状に形成される。取付部１３は、凹部１１内に形成される。取付部１３の一端（右後端）は、孔形成面１１ｃに一体的に接続される。取付部１３は、孔形成面１１ｃに対して略垂直方向に延びるように形成される。取付部１３の上端は、上壁部１１ｂに一体的に接続される。取付部１３の上下方向幅は、孔形成面１１ｃの上下方向幅と略同一となるように形成される。取付部１３は、幅方向において、２つの第１通気口１２を挟むように２つ配置される。取付部１３は、段差部１３ａを具備する。
【００２７】
段差部１３ａは、取付部１３の内側（２つの取付部１３が互いに対向する側）に形成される部分である。段差部１３ａは、取付部１３の下端及び左前端を、それぞれ上方及び右後方に向かって窪ませることで形成される。
【００２８】
図５から図７までに示す係合凹部１４は、カバー３０と係合される部分である。係合凹部１４は、底部１０ａを略上方に窪ませることで形成される。係合凹部１４は、凹部１１に隣接するように形成される。より具体的には、係合凹部１４は、孔形成面１１ｃに隣接するように形成される。係合凹部１４は、底面視略矩形状に形成される。係合凹部１４の長手方向は、凹部１１の長手方向（幅方向）と平行になるように形成される。係合凹部１４は、一方の取付部１３から他方の取付部１３に亘るように形成される。係合凹部１４は、段差部１３ａの下端と面一になるように形成される。
【００２９】
係合凸部１５は、カバー３０と係合される部分である。係合凸部１５は、略矩形板状に形成される。係合凸部１５は、凹部１１内に形成される。係合凸部１５の上下方向幅は、取付部１３の上下方向幅よりも短くなるように形成される。係合凸部１５の一端（上端）は、上壁部１１ｂに一体的に接続される。係合凸部１５は、上壁部１１ｂに対して略垂直方向に延びるように形成される。係合凸部１５は、その板面が孔形成面１１ｃと平行になるように配置される。係合凸部１５は、幅方向において、２つの取付部１３の間に２つ配置される。
【００３０】
図５から図８までに示す壁体１６は、水が第１通気口１２に侵入するのを遮るためのものである。壁体１６は、凹部１１内に形成される。壁体１６は、主として支柱部１６ａ及び遮蔽板１６ｂを具備する。
【００３１】
支柱部１６ａは、略円筒状に形成される部分である。支柱部１６ａは、長手方向を上下方向に向けて配置される。支柱部１６ａは、２つの取付部１３の中間に配置される。支柱部１６ａの上端は、上壁部１１ｂに一体的に接続される。支柱部１６ａの上下方向長さは、段差部１３ａの上下方向幅と略同一となるように形成される。
【００３２】
遮蔽板１６ｂは、略矩形板状に形成される。遮蔽板１６ｂは、長手方向を上下方向に向けて配置される。遮蔽板１６ｂは２つ形成される。２つの遮蔽板１６ｂは、底面視において、支柱部１６ａから２つの取付部１３（より詳細には、取付部１３の左前端）に向かってそれぞれ延びるように形成される。遮蔽板１６ｂの上端は、上壁部１１ｂに一体的に接続される。遮蔽板１６ｂの上下方向幅は、支柱部１６ａよりも短くなるように形成される。
【００３３】
このようにして、壁体１６は、孔形成面１１ｃの左前方において、第１通気口１２と対向するように配置される。また壁体１６は、底面視において左前方に向かって広がる略Ｖ字状に形成される。言い換えれば、壁体１６は、底面視において、折れ部（局部）を有し、左前方に向かって広がるような凹状に形成される。本実施形態においては、壁体１６のうち支柱部１６ａが折れ部（局部）となる。
【００３４】
図３及び図４に示す第１内部リブ１７は、底部１０ａの内側面（本体ケース１０内側の面）に形成される部分である。第１内部リブ１７は、板状に形成される。第１内部リブ１７は、底部１０ａから上方に延びるように形成される。第１内部リブ１７の一端（前端）は、側壁部１１ａの後端近傍（２つの第１通気口１２よりも左方）に一体的に接続される。第１内部リブ１７の他端（後端）は、後方に向かって延びるように形成される。
【００３５】
第２内部リブ１８は、底部１０ａの内側面に形成される部分である。第２内部リブ１８は、板状に形成される。第２内部リブ１８は、底部１０ａから上方に延びるように形成される。第２内部リブ１８の一端（左端）は、側壁部１１ａ（孔形成面１１ｃ）の前後中途部（２つの第１通気口１２よりも前方）に一体的に接続される。第２内部リブ１８の他端（右端）は、右方に向かって延びるように形成される。
【００３６】
図５から図９までに示すカバー３０は、本体ケース１０の第１通気口１２を覆うものである。カバー３０は、略矩形板状の部材を適宜折り曲げて形成される。カバー３０は適宜の金属材料によって形成される。カバー３０は、主として底面３１、側面３２、下部第２通気口３３及び上部第２通気口３４を具備する。
【００３７】
底面３１は、略水平に配置される板状の部分である。底面３１は、略矩形状に形成される。底面３１は、長手方向が幅方向（孔形成面１１ｃ）と平行になるように配置される。
【００３８】
側面３２は、略垂直に配置される板状の部分である。側面３２は、略矩形状に形成される。側面３２の上下方向幅は、取付部１３の上下方向幅と略同一となるように形成される。側面３２の下端は、底面３１の左前端と一体的に接続される。
【００３９】
下部第２通気口３３は、空気を流通させるための開口部である。下部第２通気口３３は、カバー３０の下端部に形成される。具体的には、下部第２通気口３３は、底面３１と側面３２との接続部（カバー３０の折り曲げられた部分）に形成される。下部第２通気口３３は、カバー３０を貫通するように形成される。下部第２通気口３３は、カバー３０の幅方向における中央部に形成される。
【００４０】
上部第２通気口３４は、空気を流通させるための開口部である。上部第２通気口３４は、側面３２（カバー３０）の上端に形成される。上部第２通気口３４は、カバー３０の幅方向における中央部を切り欠くようにして形成される。上部第２通気口３４の幅（幅方向長さ）は、下部第２通気口３３の幅と略同一となるように形成される。
【００４１】
このようにしてカバー３０は、略Ｌ字状に形成される。当該カバー３０は、底面３１が壁体１６の支柱部１６ａの下端に当接するように配置される。この際、カバー３０の底面３１は、係合凹部１４及び段差部１３ａの下端に当接する。またカバー３０の側面３２は、段差部１３ａの左前端に当接する。またカバー３０の側面３２の上端は、上壁部１１ｂに当接する。当該側面３２の上端近傍は、段差部１３ａと係合凸部１５との間に挟まれるように配置される。この状態で、図示せぬビスをカバー３０の下方から支柱部１６ａに締結することで、カバー３０が本体ケース１０に取り付けられる。
【００４２】
このように構成された防水構造においては、図７に示すように、上壁部１１ｂ、孔形成面１１ｃ、取付部１３及びカバー３０によって囲まれた空間が形成される。当該空間は、下部第２通気口３３及び上部第２通気口３４を介して外部と連通される。また当該空間は、第１通気口１２を介して本体ケース１０内部と連通される。
【００４３】
また、当該空間内に、壁体１６が配置される。壁体１６は、下部第２通気口３３と第１通気口１２との間（下部第２通気口３３と第１通気口１２とを結ぶ直線上）に配置される。また壁体１６は、上部第２通気口３４と第１通気口１２との間（上部第２通気口３４と第１通気口１２とを結ぶ直線上）に配置される。
【００４４】
このように構成された防水構造において、空気は、下部第２通気口３３及び上部第２通気口３４、並びに第１通気口１２を介して本体ケース１０の内部と外部とを行き来することができる。これによって、本体ケース１０の内圧と外気圧との間に差（圧力差）が生じるのを防ぐことができ、ひいては計量の誤差の発生を抑制することができる。
【００４５】
以下では、上述の如く構成された防水構造において、本体ケース１０内への水の侵入が妨げられる様子について説明する。
【００４６】
計量装置１が設置された作業場を水で清掃する場合等には、床面等で跳ね返った水が本体ケース１０の凹部１１へと飛んでくる場合がある。しかし、当該水の大部分がカバー３０によって遮られ、第１通気口１２に直接到達し難い。
【００４７】
また、もし下部第２通気口３３や上部第２通気口３４を介してカバー３０の内側へと水が侵入した場合であっても、当該下部第２通気口３３及び上部第２通気口３４と第１通気口１２とは離間しているため、当該第１通気口１２へと水が到達し難い。
【００４８】
さらに、下部第２通気口３３及び上部第２通気口３４と第１通気口１２との間には壁体１６が配置されているため、第１通気口１２へと向かう水は当該壁体１６によって遮られる。特に本実施形態の壁体１６は、下部第２通気口３３及び上部第２通気口３４側に向かって広がる略Ｖ字状に形成されているため、水が下部第２通気口３３側へと案内され易くなり、水が第１通気口１２へと向かうのを効果的に遮ることができる。このように、カバー３０の内側に水が侵入したとしても、当該水が第１通気口１２へと到達するのを効果的に防止することができる。なお、壁体１６を、第１通気口１２から出来る限り離れた位置に配置することで、水が第１通気口１２へと到達するのをより効果的に防止することができる。
【００４９】
また、カバー３０の内側へと侵入した水が当該カバー３０の内側の下部（カバー３０の底面３１）に溜まったとしても、第１通気口１２は孔形成面１１ｃの下端部から離れた位置（孔形成面１１ｃの上下中途部）に形成されているため、当該第１通気口１２の高さまで水が溜まるまでは本体ケース１０内へと水が侵入することがない。さらに、カバー３０の下端部（底面３１と側面３２との間）に下部第２通気口３３が形成されているため、カバー３０の内側に溜まった水は、当該下部第２通気口３３から排出される。これによって、カバー３０の内側に水が溜まり難くなり、第１通気口１２を介して本体ケース１０内へと水が侵入するのをより効果的に防止することができる。
【００５０】
また、作業場や計量装置１を清掃する際等に、当該計量装置１が上下逆さまにされた場合には、カバー３０の内側へと侵入した水は当該カバー３０の内側の上部（凹部１１の上壁部１１ｂ）に溜まることがある。しかしこの場合においても、第１通気口１２は孔形成面１１ｃの上端部から離れた位置（孔形成面１１ｃの上下中途部）に形成されているため、当該第１通気口１２の高さまで水が溜まるまでは本体ケース１０内へと水が侵入することがない。さらに、カバー３０の上端部（側面３２の上端部）に上部第２通気口３４が形成されているため、カバー３０の内側に溜まった水は、当該上部第２通気口３４から排出される。これによって、カバー３０の内側に水が溜まり難くなる。
【００５１】
また、上述の如く計量装置１が上下逆さまにされた場合等には、カバー３０の内側に侵入した水が、孔形成面１１ｃの表面を伝って第１通気口１２に到達するおそれがある。しかし、第１通気口１２は略水平（計量装置１の高さ方向に対して垂直）に延びるように形成されているため、当該第１通気口１２が傾斜している場合（例えば、本体ケース１０の内部に向かって下方へと傾斜している場合）に比べて、水が第１通気口１２内へと侵入し難い。これによって、本体ケース１０内へと水が侵入するのを抑制することができる。
【００５２】
また、万が一第１通気口１２から本体ケース１０内へと水が侵入したとしても、当該第１通気口１２が形成された孔形成面１１ｃは後方を向いている（側部１０ｂと対向している）ため、当該水がロードセル７０や前記制御基板等に付着し難い。さらに、当該水が孔形成面１１ｃを伝って下方（本体ケース１０の底部１０ａ）に溜まったとしても、第１内部リブ１７及び第２内部リブ１８によって当該水の左方及び前方への流通が阻害される。このため、ロードセル７０等に水が付着するのを効果的に防止することができる。
【００５３】
また、カバー３０は、係合凹部１４及び段差部１３ａに嵌め込まれるようにして本体ケース１０に取り付けられているため、当該カバー３０と本体ケース１０との隙間から当該カバー３０の内側へと水や塵挨が侵入し難い。例えば、図７に示すように、カバー３０の底面３１の端部（側面３２と反対側の端部）と係合凹部１４との間の隙間から水が侵入すると仮定した場合、当該水はＬ字状の経路Ｒ辿ることになる。このように、水は途中で折れ曲がった経路Ｒを通過しないとカバー３０の内側へと侵入することができないため、流動抵抗が大きくなり、当該水の侵入を効果的に防止することができる。
【００５４】
なお、上述の説明では、本体ケース１０内への水の侵入が妨げられる様子について説明したが、同様に、上記防水構造によって本体ケース１０内への塵挨の侵入も妨げられる。
【００５５】
上述の通り、本実施形態に係る計量装置１は、底部１０ａに形成された凹部１１を有する本体ケース１０と、凹部１１に形成された第１通気口１２と、第１通気口１２を覆うように本体ケース１０に設けられたカバー３０と、カバー３０に形成された下部第２通気口３３及び上部第２通気口３４（第２通気口）と、を具備している。
このため、防水防塵フィルターを用いなくても、水や塵挨が本体ケース１０の内部に侵入するのを効果的に抑制することができる。これによって、メンテナンス作業の簡素化を図ることができる。また、本体ケース１０にカバー３０を設けるだけで良いため、部品点数を少なく抑えることができる。
【００５６】
また、凹部１１は、本体ケース１０の高さ方向に略平行な側壁部１１ａを有し、第１通気口１２は、側壁部１１ａに形成される。
このため、水や塵挨が第１通気口１２を介して本体ケース１０の内部に侵入するのをより効果的に抑制することができる。
【００５７】
また、第１通気口１２は、本体ケース１０の高さ方向に対して略垂直な方向に延びるように形成される。
このため、水や塵挨が第１通気口１２を介して本体ケース１０の内部に侵入するのをより効果的に抑制することができる。
【００５８】
また、第１通気口１２は、本体ケース１０の高さ方向における凹部１１の中途部に形成される。
このため、カバー３０の内側に溜まった水や塵挨が第１通気口１２を介して本体ケース１０の内部に侵入するのを効果的に抑制することができる。
【００５９】
また、下部第２通気口３３は、本体ケース１０の高さ方向におけるカバー３０の下端部近傍に形成される。
このため、カバー３０の内側に溜まった水や塵挨を、当該下部第２通気口３３から効果的に排出することができる。
【００６０】
また、計量装置１は、第１通気口１２と対向する壁体１６をさらに具備する。
このため、カバー３０の内側に侵入した水や塵挨が、第１通気口１２に到達するのを効果的に抑制することができる。
【００６１】
また、壁体１６は、第１通気口１２と下部第２通気口３３及び上部第２通気口３４との間に配置される。
このため、下部第２通気口３３及び上部第２通気口３４からカバー３０の内側へと侵入した水や塵挨が、第１通気口１２に到達するのをより効果的に抑制することができる。
【００６２】
また、壁体１６は、下部第２通気口３３及び上部第２通気口３４側に向かって広がる凹状に形成される。
このため、カバー３０の内側に侵入した水や塵挨が、第１通気口１２に到達するのをより効果的に抑制することができる。
【００６３】
なお、本実施形態に係る下部第２通気口３３及び上部第２通気口３４は、本発明に係る第２通気口の実施の一形態である。
【００６４】
以上、本発明の一実施形態を説明したが、本発明は上記構成に限定されるものではなく、特許請求の範囲に記載された発明の範囲内で種々の変更が可能である。
【００６５】
例えば、図１０（ａ）に示す第１変形例に係るカバー３０のように、底面３１を下部第２通気口３３に向かって下方に傾斜するように形成することも可能である。これによって、カバー３０の内側に侵入した水を、下部第２通気口３３から排出し易くすることができる。また、図１０（ｂ）に示す第２変形例に係るカバー３０のように、底面３１の一部分のみ（側面３２と反対側の端部近傍）を傾斜するように形成しても良い。
【００６６】
また、本実施形態においては、防水構造に壁体１６を１つだけ設ける例を示したが、本発明はこれに限るものではなく、複数の壁体を設けても良い。例えば図１１に示す第３変形例に係るカバー３０のように、当該カバー３０に壁体３５を形成しても良い。壁体３５は、下部第２通気口３３と第１通気口１２との間に配置される。これによって、カバー３０の内側に侵入した水が第１通気口１２に到達するのをより効果的に遮ることができる。
【００６７】
また、壁体１６、第１通気口１２及び下部第２通気口３３（上部第２通気口３４）の位置関係は本実施形態の例に限定するものではないが、図１２の第４変形例に示すように、遮蔽板１６ｂを、平面視において下部第２通気口３３（上部第２通気口３４）の端部と第１通気口１２とを結ぶ直線に対して垂直に延びるように配置することが好ましい。
【００６８】
また、本実施形態においては、壁体１６は底面視（平面視）Ｖ字状に形成されるものとしたが、本発明はこれに限るものではない。すなわち、壁体１６は、底面視において下部第２通気口３３（上部第２通気口３４）に向かって広がる凹状であれば、その形状を限定するものではない。例えば、遮蔽板１６ｂを曲面状（底面視で曲線状）に形成しても良い。
【００６９】
また、本実施形態においては、第１通気口１２は孔形成面１１ｃの上下中途部（上下中央よりやや上方）に形成されるものとしたが、当該第１通気口１２を孔形成面１１ｃの上下中央に形成することも可能である。これによって、計量装置１を通常通りに配置した場合であっても上下逆さまにした場合であっても、カバー３０の内側に溜まった水が第１通気口１２に侵入するのを同様に抑制することができる。
【００７０】
また、本実施形態においては、１つの第１通気口１２と２つの第２通気口（下部第２通気口３３及び上部第２通気口３４）によって本体ケース１０の通気性を確保するものとしたが、本発明はこれに限るものではなく、各通気口の個数は任意に変更することが可能である。例えば、下部第２通気口３３及び上部第２通気口３４のうち、いずれか一方のみ設ける構成とすることも可能である。但し、カバー３０の内側に侵入した水を効果的に排出するためには、少なくとも下部第２通気口３３を設けることが望ましい。
【００７１】
また、本実施形態においては、計量装置１に防水防塵フィルタを設けない例を示したが、例えば第１通気口１２に防水防塵フィルタを設けても良い。これによって、本体ケース１０への水や塵挨の侵入をさらに効果的に防ぐことができる。この場合、本実施形態の防水構造によって、第１通気口１２に到達する水及び塵挨の量は非常に少なく抑えられているため、当該第１通気口１２に設けた防水防塵フィルタは汚れ難く、塵挨が詰まりにくい。よって、当該防水防塵フィルタのメンテナンスをほとんど行わなくても良い。
【００７２】
また、本実施形態においては、カバー３０を金属材料によって形成するものとしたが、カバー３０の材質は限定するものではない。但し、カバー３０は本体ケース１０の底部１０ａに設けられるため、床面等と接触する可能性がある。よって、カバー３０は金属材料等、ある程度の強度を確保できる材質によって形成することが望ましい。
【符号の説明】
【００７３】
１      計量装置
２      本体部
３      計量皿
１０    本体ケース
１１    凹部
１１ａ  側壁部
１２    第１通気口
１６    壁体
３０    カバー
３３    下部第２通気口
３４    上部第２通気口
【図１】
0006489958.tif 000002
【図２】
0006489958.tif 000003
【図３】
0006489958.tif 000004
【図４】
0006489958.tif 000005
【図５】
0006489958.tif 000006
【図６】
0006489958.tif 000007
【図７】
0006489958.tif 000008
【図８】
0006489958.tif 000009
【図９】
0006489958.tif 000010
【図１０】
0006489958.tif 000011
【図１１】
0006489958.tif 000012
【図１２】
0006489958.tif 000013